(57)【要約】  【課題】屋外において屋内ケーブルの接続用クロージャを必要としない半充実型の架空光ケーブルにすること。  【解決手段】合金鋼線１０の外側を合成樹脂製シース９で被覆してなる支持線Ｂと、抗張力体４を少なくとも２本配置し、その抗張力体４，４間に光ファイバーケーブル芯線３を埋設してなる光ケーブル５との両者を上下に配置してなる架空光ケーブルＡにおいて、前記抗張力体４と前記光ケーブル芯線３とを埋設した長方形の光ケーブル５を絶縁性合成樹脂製のケーブル外被１内に縦位置に配置し、この光ケーブル５を挟んだケーブル外被１１の内側面の対向位置に、該ケーブル外被１１を引き裂き分離するための引裂用紐６,６を付設してなる架空光ケーブルＡの構成である。  【選択図】図１
2009037150.tif 000002
【特許請求の範囲】
【請求項１】
合金鋼線の外側を合成樹脂製のシースで被覆した支持線と、
抗張力体を少なくとも２本、その抗張力体間に光ケーブル芯線を配置して絶縁性合成樹脂に埋設した光ケーブルとを上下に配置してなる架空光ケーブルにおいて、
前記光ケーブルを断面長方形に形成し、この光ケーブルを絶縁性合成樹脂製のケーブル外被の中空内に縦位置に配置し、
前記光ケーブルを挟んだケーブル外被内側面の相対向する２箇所に、前記ケーブル外被を引き裂き分離するための引裂用紐を長手方向に沿って配設した
ことを特徴とする架空光ケーブル。
【請求項２】
前記光ケーブルの上側に、合成樹脂製のシースを埋設したドロップ吊線を連設するとともに、該ドロップ吊線を前記ケーブル外被に埋設した
ことを特徴とする請求項１に記載の架空光ケーブル。
【請求項３】
前記請求項１に記載の架空光ケーブルを配線する方法であって、
屋外の架空光ケーブルから前記光ケーブルを屋内に引き込む際に、前記引裂用紐の２本を前記ケーブル外被の外部へ露出させて、この引裂用紐を相反する方向に牽引することにより、前記ケーブル外被を開裂して内部の前記光ケーブルを引き出し、
該光ケーブルを屋内用ケーブルとしてケーブル外被から屋内に直接配線する
ことを特徴とする架空光ケーブルの配線方法。
【請求項４】
前記請求項２に記載の架空光ケーブルを配線する方法であって、
屋外の架空光ケーブルから前記光ケーブルを屋内に引き込む際に、前記引裂用紐の２本を前記ケーブル外被の外部へ露出させて、この引裂用紐を相反する方向に牽引することにより、前記ケーブル外被を開裂して内部の前記光ケーブルと前記ドロップ吊線とを一体に引き出し、
引き出した光ケーブルとドロップ吊線とを分断して、分断した光ケーブルを屋内用ケーブルとして屋内に直接配線する
ことを特徴とする架空光ケーブルの配線方法。
【発明の詳細な説明】
【技術分野】
【０００１】
本発明は、光ケーブルとしての屋内配線ケーブルを内蔵し、支持線と併設してなる屋外配線用の架空光ケーブルとその配線方法に関する。
【背景技術】
【０００２】
従来、屋外の架空光ケーブルは、合金鋼線からなる支持線と複数の光ケーブル芯線を内蔵し、テンションメンバーを併設してあるものを一体的にシースで被覆形成したものである。この架空光ケーブルを各家庭に引き込む際には、一本の光ケーブル芯線を取り出し、屋外ケーブルと屋内ケーブルとの間のクロージャ内において光ケーブル芯線と屋内ケーブルとを接続し、各家屋内に配線している。このように今までは屋外配線と光ドロップケーブルとは光ケーブル芯線の接続作業が重要であり、この場合は大きなクロージャ内で接続しなければならなかった。最近は経済的効率なＦＴＴＨの採用が多く、単心のものが多く利用されている。
【０００３】
支持線と並行に配置される光ケーブルには、光ケーブルとテンションメンバーとを合成樹脂に埋設した充実型ケーブル（特許文献１）と、これら光ケーブルとテンションメンバーとを丸チューブ内に引き通したチューブ型ケーブル（特許文献２）とがある。さらに特許文献１には、ルースチューブ型光ケーブルを複数備えた光ケーブルの中心に中心引張部材と、この外周に接しながらねじれながら延長するルースチューブ繊維ユニットを多数含む集合ユニットと、前記中心引張部材と集合ユニットを含むケーブルコアの周りを包む繊維状引張補強部材とからなる光ケーブルが記載されている。
また、前記特許文献１と同様に中心に抗張力のある補強部材を配置し、その周囲に多数のルースチューブを配置してこれら全体を合成樹脂シースで包囲したものが特許文献３に記載されている。
【０００４】
【特許文献１】特開平１０−３０２０号公報（図１）
【特許文献２】特開２００６−５１４３３３号公報（第１頁）
【特許文献３】実開平２−１１９６０７号公報（第１頁）
【発明の開示】
【発明が解決しようとする課題】
【０００５】
しかしながら、特許文献１に記載されるルースチューブ型光ケーブルは、複数個のルースチューブを中心引張部材の周りに配置し、この全体を繊維補強部材で包むもので、全体の径が大きく、重量感のあるものであった。中央の中心引張部材の周りにらせん状にルースチューブを巻回してなり製造も煩雑であった。
【０００６】
また、特許文献２のようなルースチューブを使用したものでは全体を強度のあるスチールテープで補強しなければならなかった。そのため重量が重く作業性にわるかった。さらに、特許文献３の光ケーブルは、ルースチューブが分割可能に形成したものであるが、複数のルースチューブを中心部材の廻りに配置するので全体が嵩張り、細径に製造することはできなかった。
【０００７】
従来の光ケーブルに直接支持線が接続されている形態では、架線工事中や架線作業後の光ケーブの弛みや捻れなどによる光ケーブルの断線事故が発生していた。また,屋内への引き込み配線作業が面倒であった。
本発明は前記従来の欠点を改善し、細径で軽量な架空光ケーブルを提供するものである。
本発明の課題は、屋外の架空光ケーブルから屋内に配線する際に屋内ケーブル（インドアケーブル）の接続用クロージャを必要としない半充実型の架空光ケーブルを提供することである。
本発明の課題は，簡易な細い構造で、内部の屋内ケーブルを容易に出し入れでき、接続用のクロージャを使用せず、屋内ケーブルを屋内に配線できる架空光ケーブルを提供することである。
【課題を解決するための手段】
【０００８】
本発明の課題は、架空光ケーブルの以下の構成によって達成できる。
合金鋼線の外側を合成樹脂製のシースで被覆した支持線と、抗張力体を少なくとも２本、その抗張力体間に光ケーブル芯線を配置して絶縁性合成樹脂に埋設した光ケーブルとを上下に配置してなる架空光ケーブルにおいて、前記光ケーブルを断面長方形に形成し、この光ケーブルを絶縁性合成樹脂製のケーブル外被の中空内に縦位置に配置し、前記光ケーブルを挟んだケーブル外被内側面の相対向する２箇所に、前記ケーブル外被を引き裂き分離するための引裂用紐を長手方向に沿って配設した架空光ケーブルの構成としている。
【０００９】
本発明の前記課題は、前記光ケーブルの上側に、合成樹脂製のシースを埋設したドロップ吊線を連設するとともに、該ドロップ吊線を前記ケーブル外被に埋設した架空光ケーブルの構成によって達成できる。
【００１０】
本発明の前記課題は、前記発明の架空光ケーブルを配線する方法であって、屋外の架空光ケーブルから前記光ケーブルを屋内に引き込む際に、前記引裂用紐の２本を前記ケーブル外被の外部へ露出させて、この引裂用紐を相反する方向に牽引することにより、前記ケーブル外被を開裂して内部の前記光ケーブルを引き出し、該光ケーブルを屋内用ケーブルとしてケーブル外被から屋内に直接配線することによって達成できる。
【００１１】
本発明の前記課題は、前記発明の架空光ケーブルを配線する方法であって、屋外の架空光ケーブルから前記光ケーブルを屋内に引き込む際に、前記引裂用紐の２本を前記ケーブル外被の外部へ露出させて、この引裂用紐を相反する方向に牽引することにより、前記ケーブル外被を開裂して内部の前記光ケーブルと前記ドロップ吊線とを一体に引き出し、引き出した光ケーブルとドロップ吊線とを分断して、分断した光ケーブルを屋内用ケーブルとして屋内に直接配線することによって達成できる。
【００１２】
２本の引裂用紐は、ケーブル外被の内側面にケーブル外被の一部を溶かして接合したり、別途に接着剤を用いるなどの適宜な接合手段を用いてケーブル外被に接合される。
本発明の架空光ケーブルは、光ケーブル芯線と抗張力体とが一体成型で断面長方形に形成されており、この光ケーブルが合成樹脂からなるケーブル外被内の空間に転回できないように配置されているから架設作業中に光ケーブル芯線の位置が固定されているので混線の懸念なく作業が可能である。また、このケーブル外被から光ケーブル芯線を引き出すときに光ケーブルの両側引裂用紐を配置してあるから屋内配線が簡易である。
また、前記光ケーブに平行に接続して、シースを埋設したドロップ吊線を配設することにより、光ケーブル芯線の本数が多くてもケーブル外被内に確実に収納支持することができる。また、架線の弛みがあっても光ケーブルへの影響がない。
【発明の効果】
【００１３】
本発明の架空光ケーブルは、屋内ケーブルや光ケーブル全体の径を細く形成することができる。
また、本発明の架空光ケーブルは、ケーブル外被内に空間を設けた２重構造になるので、ケーブル外被内に光ケーブルを配置して空隙を有するから光ケーブルの放熱に役立っており、熱による光ケーブル芯線への影響が少ない。
さらに、引裂用紐があるために家庭の屋内に架空光ケーブルから引き込みするときにクロージャ内の接続を必要とせず、内部の引裂用紐によってケーブル外被から屋内ケーブルを簡易に引き出すことができる。
【００１４】
また、ケーブル外被内に光ケーブル芯線が収納され、ドロップ吊線を埋設してあり、光ケーブル芯線に余分な力が加らないので歪みを生じない。
【発明を実施するための最良の形態】
【００１５】
以下，本発明にかかる架空光ケーブルの形態例について図面を参照して説明する。
図中、図１は本発明の第１形態例を示す架空光ケーブルの断面図、図２は図１の架空光ケーブルのケーブル外被から光ケーブルを引き出す状態を示す図、図３は架空光ケーブルにおける第２形態例を示す断面図である。
【００１６】
図１及び図２に示す第１形態例の架空光ケーブルＡは、合金鋼線１０の外側を合成樹脂シース９で被覆した支持線Ｂの下側に、屋内ケーブルを内装したケーブル外被１を連結部１１で連結した断面ひょうたん形に形成されている。
ケーブル外被１は、例えばポリエチレン樹脂等の合成樹脂によって断面円筒状の中空に形成されており、その内部空間２内に断面縦長方形の光ケーブル５が回転しないように固着されている。
【００１７】
光ケーブル５は、絶縁性のポリエチレン樹脂等によって形成されており、中央に１本または複数本からなる光ケーブル芯線３が埋設されるとともに、その上下に抗張力体４，４が埋設されている。ケーブル外被１は、光ケーブル５を挟んだ内側面の相対向する２箇所に引裂用紐６,６が固着されている。
この引裂用紐６,６は、例えばスポット溶接等でケーブル外被１の一部を溶かすことによってケーブル外被１の長手方向に沿って付設されたもので、その溶着強度は、配線工事等ではケーブル外被１から容易に離脱することがなく、かつケーブル外被１を分断する際には、作業者にいたずらな負担を与えることのない程度のものとしている。
【００１８】
図２に示すように、光ケーブル５を屋内に配線するには、屋外の架空光ケーブルＡの端部においてケーブル外被１内の引裂用紐６,６を引き出し、この引裂用紐６,６の先端を指先で把持して相反する方向に引っ張ることにより、ケーブル外被１が裂かれて内部の光ケーブル５を容易に引き出すことができ、このようにして引き出した光ケーブル５を屋内に配線する。
【００１９】
図３に示す第２実施形態では、合金鋼線７をシース８に埋設したドロップ吊線１２が光ケーブル５の上側に連設されており、該ドロップ吊線１２をケーブル外被１に埋設している。
本形態例のケーブル外被１は、光ケーブル５とその上部のドロップ吊線１２に合わせて断面縦長円形に形成され、ケーブル外被１と光ケーブル５との間には第１形態例よりも僅かな内部空間が設定されており、引裂用紐６,６は、光ケーブル５を挟んだケーブル外被１の内側面の相対向する２箇所に、前述の形態例と同様長手方向に沿って固着されている。
【００２０】
本形態例の光ケーブル５を屋内に配線するには、２本の引裂用紐６，６をケーブル外被１の端部より外部へ露出させ、引裂用紐６，６を相反する方向に牽引することにより、ケーブル外被１を開裂して内部の光ケーブル５とドロップ吊線１２とを一体に引き出し、さらに引き出した光ケーブル５とドロップ吊線１２とを分断し、分断した光ケーブル５のみを屋内用ケーブルとして屋内に直接配線する。
【００２１】
上記した第１，第２形態例によれば、屋内に引き込むときに屋外の接続用のクロージャを介することなく屋内へ簡単に配線することができる。また、光ケーブル５とケーブル外被１との間に内部空間２に配置してあるので、放熱効果があり、光ケーブル５の損傷を防止することができる。さらに第２形態例では、ケーブル外被１にドロップ吊線１２が一体に形成してあるから、架空光ケーブルの捩れを極力防止することができる。
【図面の簡単な説明】
【００２２】
【図１】本発明の第１形態例を示す架空光ケーブルの断面図である。
【図２】図１の架空光ケーブルのケーブル外被から光ケーブルを引出す状態を示す図である。
【図３】本発明の架空光ケーブルの第２形態例を示す断面図である。
【符号の説明】
【００２３】
１…ケーブル外被
２…内部空間
３…光ケーブル芯線
４…抗張力体
５…光ケーブル
６…引裂用紐
７，１０…合金鋼線
８，９…シース
１１…連結部
１２…ドロップ吊線
Ａ…架空光ケーブル
Ｂ…支持線 
【図１】
2009037150.tif 000003
【図２】
2009037150.tif 000004
【図３】
2009037150.tif 000005